(57)【要約】      （修正有）【課題】導電体部が本体部から剥がれるのを抑制することが可能な筐体を提供する。【解決手段】溝部３０ｂが形成された本体部３０と、本体部３０の溝部３０ｂを埋め込むように設けられ、電子部品９が接合される電気配線３１とを備えるように構成することによって、本体部３０の溝部３０ｂの、例えば側面や底面などに、電気配線３１の側面や底面などを接着させることができる。これにより、本体部３０の内面（表面）３０ａに電気配線３１の底面のみが接着されている場合に比べて、本体部３０と電気配線３１との接着面積を大きくすることができるので、落下時の衝撃や振動などにより、電気配線３１が本体部３０から剥がれるのを抑制することができる。【選択図】図２
2009076517.tif 000002
【特許請求の範囲】
【請求項１】
溝部が形成された本体部と、
少なくとも前記本体部の溝部を埋め込むように設けられ、電子部品が接合される導電体部とを備えたことを特徴とする筐体。
【請求項２】
前記溝部は、前記導電体部の少なくとも前記電子部品が接合される部分に対応する前記本体部の部分に形成されていることを特徴とする請求項１に記載の筐体。
【請求項３】
前記溝部は、側面および底面を含み、
前記側面と前記底面とにより構成されるコーナー部は、略直角に形成されていることを特徴とする請求項１または２に記載の筐体。
【請求項４】
前記導電体部は、前記本体部の溝部内のみならず、前記本体部の溝部以外の表面上にも形成されていることを特徴とする請求項１〜３のいずれか１項に記載の筐体。
【請求項５】
前記溝部は、前記本体部の表面に形成された開口部と、前記開口部に接続され、前記本体部の内部に設けられた内部領域とを含み、
前記開口部の幅は、前記内部領域の幅よりも小さいことを特徴とする請求項１〜４のいずれか１項に記載の筐体。
【請求項６】
前記導電体部の幅は、前記溝部の幅と略同じ大きさに形成されていることを特徴とする請求項１〜５のいずれか１項に記載の筐体。
【請求項７】
前記溝部は、前記導電体部に沿って、かつ、不連続に形成されていることを特徴とする請求項１〜６のいずれか１項に記載の筐体。
【請求項８】
前記導電体部は、前記溝部の内部から外部に向かって突出するように形成されていることを特徴とする請求項１〜７のいずれか１項に記載の筐体。
【請求項９】
請求項１〜８のいずれか１項に記載の筐体と、
前記導電体部に接続される電子部品とを備えることを特徴とする電子機器。
【発明の詳細な説明】
【技術分野】
【０００１】
この発明は、筐体および電子機器に関し、特に、電子部品が接合される導電体部を備えた筐体および電子機器に関する。
【背景技術】
【０００２】
従来、集積回路（電子部品）が接合される回路配線（導電体部）を含む筐体を備えた時計（電子機器）実装構造が知られている（たとえば、特許文献１参照）。上記特許文献１には、集積回路と、集積回路を収納するための地板（本体部）とを含む筐体を備えた構造が開示されている。この筐体は、地板に、集積回路が接合される回路配線が一体的に形成されることにより構成されている。
【０００３】
また、従来、上記特許文献１に開示されたような、電子部品が接合される導電体部が本体部に設けられた筐体として、以下に説明する構造を有する筐体が一般的に知られている。
【０００４】
図７は、電子部品が接合される導電体部を含む従来の筐体の構造を示した斜視図である。図８は、図７の３００−３００線に沿った断面図である。従来の筐体は、図７に示すように、電子部品１１０を収納するためのプラスチック製の本体部１０１と、２つの導電体部１０２とを備えている。この２つの導電体部１０２は、印刷、マスキング電着、鍍着および射出成形時の一体成形などにより、本体部１０１の表面上に一体的に形成されている。電子部品１１０は、半田付けや圧着などにより導電体部１０２に接合されている。
【０００５】
この従来の筐体では、図８に示すように、本体部１０１の導電体部１０２が形成される部分の表面は、平坦面状に形成されている。このため、本体部１０１の表面に、導電体部１０２の底面のみが接着されている。
【特許文献１】特開昭６３−１７５７９３号公報
【発明の開示】
【発明が解決しようとする課題】
【０００６】
しかしながら、図７に示した従来の筐体では、本体部１０１の表面に、導電体部１０２の底面のみが接着されているので、落下時の衝撃や振動などにより、導電体部１０２が、本体部１０１から剥がれる場合があるという問題点がある。
【０００７】
この発明は、上記のような課題を解決するためになされたものであり、この発明の目的は、導電体部が本体部から剥がれるのを抑制することが可能な筐体および電子機器を提供することである。
【課題を解決するための手段】
【０００８】
上記目的を達成するために、この発明の第１の局面による筐体は、溝部が形成された本体部と、少なくとも本体部の溝部を埋め込むように設けられ、電子部品が接合される導電体部とを備えている。
【０００９】
この第１の局面による筐体では、上記のように、溝部が形成された本体部と、少なくとも本体部の溝部を埋め込むように設けられ、電子部品が接合される導電体部とを備えるように構成することによって、本体部の溝部の、例えば側面や底面などに、導電体部の側面や底面などを接着させることができる。これにより、本体部の表面に導電体部の底面のみが接着されている場合に比べて、本体部と導電体部との接着面積を大きくすることができるので、落下時の衝撃や振動などにより、導電体部が本体部から剥がれるのを抑制することができる。
【００１０】
また、第１の局面による筐体では、上記のように、導電体部を、少なくとも本体部の溝部を埋め込むように設けることによって、導電体部の本体部の溝部に埋め込まれた部分が、本体部の溝部の内部で変形するのを抑制することができる。これにより、落下時の衝撃や振動などにより、導電体部が本体部から剥がれるのを、より抑制することができる。
【００１１】
上記第１の局面による筐体において、好ましくは、溝部は、導電体部の少なくとも電子部品が接合される部分に対応する本体部の部分に形成されている。このように構成すれば、筐体に落下時の衝撃や振動が加わった場合、導電体部の電子部品が接合された部分の負荷が最も大きくなるので、溝部を、導電体部の電子部品が接合される部分に対応する本体部の部分に形成することによって、落下時の衝撃や振動などにより、導電体部の電子部品が接合された部分（負荷が最も大きい部分）が本体部から剥がれるのを抑制することができる。
【００１２】
上記第１の局面による筐体において、好ましくは、溝部は、側面および底面を含み、側面と底面とにより構成されるコーナー部は、略直角に形成されている。このように構成すれば、溝部の側面と底面とにより構成されるコーナー部が、例えばＣ面やＲ面（Ｒ形状）などに形成されている場合に比べて、溝部の内部の表面積を大きくすることができる。すなわち、導電体部と本体部の溝部との接着面積を、より大きくすることができる。これにより、導電体部が本体部から剥がれるのを、より抑制することができる。
【００１３】
上記第１の局面による筐体において、好ましくは、導電体部は、本体部の溝部内のみならず、本体部の溝部以外の表面上にも形成されている。このように構成すれば、導電体部を、本体部の溝部のみならず、本体部の溝部以外の表面にも接着することができるので、導電体部と本体部との接着面積を、より大きくすることができる。これにより、導電体部が本体部から剥がれるのを、より抑制することができる。
【００１４】
上記第１の局面による筐体において、好ましくは、溝部は、本体部の表面に形成された開口部と、開口部に接続され、本体部の内部に設けられた内部領域とを含み、開口部の幅は、内部領域の幅よりも小さい。このように構成すれば、本体部の内部領域に埋め込まれた導電体部の部分が、開口部から外側に抜け出るのを、効果的に抑制することができる。これにより、落下時の衝撃や振動などにより、導電体部が本体部から剥がれるのを、効果的に抑制することができる。
【００１５】
上記第１の局面による筐体において、導電体部の幅は、溝部の幅と略同じ大きさに形成されていてもよい。
【００１６】
上記第１の局面による筐体において、好ましくは、溝部は、導電体部に沿って、かつ、不連続に形成されている。このように構成すれば、本体部が、溝部に沿って強度が低下するのを抑制することができる。これにより、例えば厚みの小さい本体部を用いる場合にも、本体部が溝部に沿って折れ曲がるのを抑制することができる。
【００１７】
上記第１の局面による筐体において、好ましくは、導電体部は、溝部の内部から外部に向かって突出するように形成されている。このように構成すれば、電子部品を、容易に導電体部に接合することができる。
【００１８】
この発明の第２の局面による電子機器は、請求項１〜８のいずれか１項に記載の筐体と、導電体部に接続される電子部品とを備える。このように構成すれば、導電体部が本体部から剥がれるのを抑制することが可能な電子機器を得ることができる。
【発明の効果】
【００１９】
以上のように、本発明によれば、導電体部が本体部から剥がれるのを抑制することが可能な筐体および電子機器を容易に得ることができる。
【発明を実施するための最良の形態】
【００２０】
（第１実施形態）
図１は、本発明の第１実施形態による下部筐体（筐体）を備えた携帯電話の全体構成を示した正面図である。図２は、本発明の第１実施形態による下部筐体の構造を示した斜視図である。図３は、図２の１００−１００線に沿った断面図である。図１〜図３を参照して、本発明の第１実施形態による下部筐体３を備えた携帯電話１の構造について説明する。
【００２１】
本発明の第１実施形態による下部筐体３を備えた携帯電話１は、図１に示すように、上部筐体２と、下部筐体３と、上部筐体２および下部筐体３の間に配置されたヒンジ部４とを備えている。このヒンジ部４により、携帯電話１が折り畳み可能になっている。なお、携帯電話１は、本発明の「電子機器」の一例であり、下部筐体３は、本発明の「筐体」の一例である。
【００２２】
上部筐体２には、表示画面５と、受話用のスピーカ６とが設けられている。
【００２３】
下部筐体３には、複数の操作ボタン７と、送話用のマイク８とが設けられている。
【００２４】
また、下部筐体３は、図２に示すように、コの字形状の断面を有するプラスチック製の本体部３０と、本体部３０の内面（表面）３０ａに形成された２つの電気配線３１とによって構成されている。また、下部筐体３の内部には、電子部品９が収納されており、電子部品９は、半田付けや圧着などにより２つの電気配線３１に接合されている。なお、本体部３０の内面３０ａは、本発明の「本体部の表面」の一例であり、電気配線３１は、本発明の「導電体部」の一例である。
【００２５】
ここで、第１実施形態では、図２および図３に示すように、本体部３０には、所定の方向（Ａ方向（図２参照））に直線状に延びる２つの溝部３０ｂが形成されている。この２つ溝部３０ｂは、それぞれ、途切れることなく連続的に形成されている。
【００２６】
このため、第１実施形態では、溝部３０ｂは、電気配線３１の電子部品９が接合される部分に対応する本体部３０の部分にも形成されている。
【００２７】
また、第１実施形態では、図３に示すように、溝部３０ｂは、本体部３０の内面３０ａに形成された開口部３０ｃと、本体部３０の内部に設けられた内部領域３０ｄとを含んでいる。この開口部３０ｃのＡ方向に直交するＢ方向の幅Ｗ１は、内部領域３０ｄのＢ方向の幅Ｗ２（電気配線３１の後述する下埋込部３１ａのＢ方向の幅）よりも小さい。
【００２８】
電気配線３１は、図２に示すように、印刷、マスキング電着、鍍着および射出成形時の一体成形などにより、本体部３０の内面３０ａ上に一体的に形成されている。この電気配線３１は、本体部３０の溝部３０ｂに沿って、かつ、本体部３０の溝部３０ｂと略同じ長さに形成されている。また、電気配線３１は、Ｂ方向の幅Ｗ３が一定の大きさになるように形成されている。なお、図２では、電気配線３１を、本体部３０の平坦面からなる内面３０ａに形成しているが、曲面、斜面および凹凸面などに形成することも可能である。
【００２９】
また、第１実施形態では、図３に示すように、電気配線３１は、本体部３０の溝部３０ｂの開口部３０ｃおよび内部領域３０ｄを隙間無く埋め込むとともに、溝部３０ｂの内部から外部（下部筐体３の内側）に向かって突出するように形成されている。すなわち、電気配線３１は、溝部３０ｂの内部領域３０ｄに形成された下埋込部３１ａと、溝部３０ｂの開口部３０ｃに形成された上埋込部３１ｂと、溝部３０ｂの外部（下部筐体３の内側）に形成された突出部３１ｃとによって構成されている。
【００３０】
また、第１実施形態では、電気配線３１の突出部３１ｃは、開口部３０ｃの幅Ｗ１よりも大きい幅を有するように形成されている。すなわち、電気配線３１の突出部３１ｃは、本体部３０の内面３０ａ上にも形成されており、電気配線３１の突出部３１ｃの底面は、本体部３０の内面３０ａと接着されている。
【００３１】
第１実施形態では、上記のように、溝部３０ｂが形成された本体部３０と、本体部３０の溝部３０ｂを埋め込むように設けられ、電子部品９が接合される電気配線３１とを備えるように構成することによって、本体部３０の溝部３０ｂの、例えば側面や底面などに、電気配線３１の側面や底面などを接着させることができる。これにより、本体部３０の内面（表面）３０ａに電気配線３１の底面のみが接着されている場合に比べて、本体部３０と電気配線３１との接着面積を大きくすることができるので、落下時の衝撃や振動などにより、電気配線３１が本体部３０から剥がれるのを抑制することができる。
【００３２】
また、第１実施形態では、電気配線３１の下埋込部３１ａおよび上埋込部３１ｂを、本体部３０の溝部３０ｂの開口部３０ｃおよび内部領域３０ｄを隙間無く埋め込むように設けることによって、電気配線３１の下埋込部３１ａおよび上埋込部３１ｂが、本体部３０の溝部３０ｂの開口部３０ｃおよび内部領域３０ｄの内部で撓む（変形する）のを抑制することができる。これにより、落下時の衝撃や振動などにより、電気配線３１が本体部３０から剥がれるのを、より抑制することができる。
【００３３】
また、第１実施形態では、溝部３０ｂを、電気配線３１の電子部品９が接合される部分に対応する本体部３０の部分にも形成することによって、下部筐体３に落下時の衝撃や振動が加わった場合、電気配線３１の電子部品９が接合された部分の負荷が最も大きくなるので、落下時の衝撃や振動などにより、電気配線３１の電子部品９が接合された部分（負荷が最も大きい部分）が本体部３０から剥がれるのを抑制することができる。
【００３４】
また、第１実施形態では、電気配線３１を、本体部３０の溝部３０ｂ内のみならず、本体部３０の溝部３０ｂ以外の内面３０ａ上にも形成することによって、電気配線３１を、本体部３０の溝部３０ｂのみならず、本体部３０の溝部３０ｂ以外の内面３０ａにも接着することができるので、電気配線３１と本体部３０との接着面積を、より大きくすることができる。これにより、電気配線３１が本体部３０から剥がれるのを、より抑制することができる。
【００３５】
また、第１実施形態では、開口部３０ｃのＢ方向の幅Ｗ１を、内部領域３０ｄのＢ方向の幅Ｗ２よりも小さくすることによって、本体部３０の内部領域３０ｄに埋め込まれた電気配線３１の下埋込部３１ａが、開口部３０ｃから外側に抜け出るのを、効果的に抑制することができる。これにより、落下時の衝撃や振動などにより、電気配線３１が本体部３０から剥がれるのを、効果的に抑制することができる。
【００３６】
また、第１実施形態では、電気配線３１に、溝部３０ｂの外部に形成された突出部３１ｃを設けることによって、電子部品９を、容易に電気配線３１に接合することができる。
【００３７】
（第２実施形態）
図４は、本発明の第２実施形態による下部筐体の構造を示した斜視図である。図５は、図４の２００−２００線に沿った断面図である。図４および図５を参照して、この第２実施形態では、上記第１実施形態と異なり、溝部４０ｂが、電気配線４１の電子部品９が接合される部分（接合部４１ｂ）に対応する本体部４０の部分のみに形成されている場合について説明する。
【００３８】
第２実施形態の下部筐体３ａは、図４に示すように、コの字形状の断面を有する本体部４０と、本体部４０の内面（表面）４０ａに形成された２つの電気配線４１とによって構成されている。なお、下部筐体３ａは、本発明の「筐体」の一例であり、電気配線４１は、本発明の「導電体部」の一例である。
【００３９】
ここで、第２実施形態では、電気配線４１は、Ｂ方向の幅が互いに異なる配線部４１ａおよび接合部４１ｂによって構成されている。配線部４１ａは、Ｗ１１のＢ方向の幅を有し、接合部４１ｂは、Ｗ１１よりも大きいＷ１２のＢ方向の幅を有している。また、接合部４１ｂには、電子部品９が接合されている。
【００４０】
また、第２実施形態では、電気配線４１の配線部４１ａに対応する本体部４０の部分には、溝部４０ｂが形成されておらず、図５に示すように、電気配線４１の接合部４１ｂに対応する本体部４０の部分のみに、溝部４０ｂが形成されている。
【００４１】
また、第２実施形態では、溝部４０ｂの側面４０ｃと底面４０ｄとにより構成されるコーナー部４０ｅは、略直角に形成されている。
【００４２】
また、第２実施形態では、電気配線４１は、本体部４０の溝部４０ｂを隙間無く埋め込むとともに、溝部４０ｂの内部から外部（下部筐体３ａの内側）に向かって突出するように形成されている。すなわち、電気配線４１は、溝部４０ｂの内部に形成された埋込部４１ｃと、溝部４０ｂの外部（下部筐体３ａの内側）に形成された突出部４１ｄとによって構成されている。
【００４３】
また、第２実施形態では、電気配線４１の突出部４１ｄのＢ方向の幅は、埋込部４１ｃの幅（溝部４０ｂの幅）と略同じ大きさに形成されている。
【００４４】
なお、第２実施形態のその他の構造は、上記第１実施形態と同様である。
【００４５】
第２実施形態では、上記のように、溝部４０ｂが形成された本体部４０と、本体部４０の溝部４０ｂを埋め込むように設けられ、電子部品９が接合される電気配線４１とを備えるように構成することによって、本体部４０の溝部４０ｂの側面４０ｃおよび底面４０ｄに、電気配線４１の側面および底面を接着させることができる。これにより、本体部４０の内面（表面）４０ａに電気配線４１の底面のみが接着されている場合に比べて、本体部４０と電気配線４１との接着面積を大きくすることができるので、落下時の衝撃や振動などにより、電気配線４１が本体部４０から剥がれるのを抑制することができる。
【００４６】
また、第２実施形態では、電気配線４１の埋込部４１ｃを、本体部４０の溝部４０ｂを隙間無く埋め込むように設けることによって、電気配線４１の埋込部４１ｃが、本体部４０の溝部４０ｂの内部で撓む（変形する）のを抑制することができる。これにより、落下時の衝撃や振動などにより、電気配線４１が本体部４０から剥がれるのを、より抑制することができる。
【００４７】
第２実施形態では、上記のように、溝部４０ｂを、電気配線４１の電子部品９が接合される接合部４１ｂに対応する本体部４０の部分に形成することによって、下部筐体３ａに落下時の衝撃や振動が加わった場合、電気配線４１の電子部品９が接合された接合部４１ｂの負荷が最も大きくなるので、落下時の衝撃や振動などにより、電気配線４１の電子部品９が接合された接合部４１ｂ（負荷が最も大きい部分）が本体部４０から剥がれるのを抑制することができる。
【００４８】
また、第２実施形態では、電気配線４１の配線部４１ａに対応する本体部４０の部分に、溝部４０ｂを形成せず、電気配線４１の接合部４１ｂに対応する本体部４０の部分のみに、溝部４０ｂを形成することによって、本体部４０の強度が電気配線４１（溝部４０ｂ）に沿って低下するのを抑制することができる。これにより、例えば厚みの小さい本体部４０を用いる場合にも、本体部４０が電気配線４１（溝部４０ｂ）に沿って折れ曲がるのを抑制することができる。
【００４９】
また、第２実施形態では、溝部４０ｂの側面４０ｃと底面４０ｄとにより構成されるコーナー部４０ｅを、略直角に形成することによって、溝部４０ｂのコーナー部４０ｅが、例えばＣ面やＲ面（Ｒ形状）などに形成されている場合に比べて、溝部４０ｂの内部の表面積を大きくすることができる。すなわち、電気配線４１と本体部４０の溝部４０ｂとの接着面積を、より大きくすることができる。これにより、電気配線４１が本体部４０から剥がれるのを、より抑制することができる。
【００５０】
なお、第２実施形態のその他の効果は、上記第１実施形態と同様である。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、本発明を携帯電話に適用した例について示したが、本発明はこれに限らず、携帯電話以外の電子機器や各種メカトロニクス製品などに適用してもよい。
【００５３】
また、上記第１実施形態では、溝部を、直線状に、かつ、途切れることなく連続的に形成した例について示したが、本発明はこれに限らず、図６に示した第１実施形態の変形例のように、溝部５０ａを、曲線状の部分５０ｂを含むように形成してもよいし、電気配線（図示せず）に沿って、かつ、不連続に形成してもよい。このように、溝部５０ａを不連続に形成すれば、上記第２実施形態と同様、本体部５０の強度が溝部５０ａ（電気配線（図示せず））に沿って低下するのを抑制することができる。
【００５４】
また、上記第２実施形態では、溝部の側面と底面とにより構成されるコーナー部を、略直角に形成した例について示したが、本発明はこれに限らず、溝部の側面と底面とにより構成されるコーナー部を、Ｃ面やＲ面（Ｒ形状）などに形成してもよい。また、上記第１実施形態においても、溝部の開口部や内部領域のコーナー部を、略直角に形成してもよいし、Ｃ面やＲ面（Ｒ形状）などに形成してもよい。
【００５５】
また、上記実施形態では、下部筐体に２つの電気配線を形成した例について示したが、本発明はこれに限らず、下部筐体に１つまたは３つ以上の電気配線を形成してもよい。
【図面の簡単な説明】
【００５６】
【図１】本発明の第１実施形態による下部筐体（筐体）を備えた携帯電話の全体構成を示した正面図である。
【図２】本発明の第１実施形態による下部筐体の構造を示した斜視図である。
【図３】図２の１００−１００線に沿った断面図である。
【図４】本発明の第２実施形態による下部筐体の構造を示した斜視図である。
【図５】図４の２００−２００線に沿った断面図である。
【図６】本発明の第１実施形態の変形例による下部筐体の構造を示した平面図である。
【図７】電子部品が接合される導電体部を含む従来の筐体の構造を示した斜視図である。
【図８】図７の３００−３００線に沿った断面図である。
【符号の説明】
【００５７】
１  携帯電話（電子機器）
３、３ａ  下部筐体（筐体）
９  電子部品
３０、４０、５０  本体部
３０ａ  内面（本体部の表面）
３０ｂ、４０ｂ、５０ａ  溝部
３０ｃ  開口部
３０ｄ  内部領域
３１、４１  電気配線（導電体部）
４０ｃ  側面
４０ｄ  底面
４０ｅ  コーナー部
【図１】
2009076517.tif 000003
【図２】
2009076517.tif 000004
【図３】
2009076517.tif 000005
【図４】
2009076517.tif 000006
【図５】
2009076517.tif 000007
【図６】
2009076517.tif 000008
【図７】
2009076517.tif 000009
【図８】
2009076517.tif 000010